(57)【要約】本開示は、ミリ波システムの基地局においてデータを送信するためにサブフレームをスケジューリングする方法を提供し、ダウンリンクサブフレームをスケジューリングするために、第１のサブフレームにおいてダウンリンクスケジューリングシグナリング（ＤＬグラント）を送信するステップであって、ダウンリンクスケジューリングシグナリングは少なくとも１つの第１のスケジューリング位置情報を含み、第１のスケジューリング位置情報はダウンリンク送信を実行するためにスケジューリングされたサブフレームの位置を示す、ステップと、アップリンクサブフレームをスケジューリングするために、第２のサブフレームにおいてアップリンクスケジューリングシグナリング（ＵＬグラント）を送信するステップであって、アップリンクスケジューリングシグナリングは少なくとも１つの第２のスケジューリング位置情報を含み、第２のスケジューリング位置情報はアップリンク送信を実行するためにスケジューリングされたサブフレームの位置を示す、ステップとを備える。本開示はまた、ミリ波システムにおいてＨＡＲＱ−Ａ／Ｎを送信するためにサブフレームをスケジューリングする方法も提供する。【選択図】  図３
2019500816.tif 000002
【特許請求の範囲】
【請求項１】
ミリ波システムの基地局においてデータを送信するためにサブフレームをスケジューリングする方法であって、
ダウンリンクサブフレームのスケジューリングのために、
第１のサブフレームにおいてダウンリンクスケジューリングシグナリング（ＤＬグラント）を送信するステップであって、前記ダウンリンクスケジューリングシグナリングは少なくとも１つの第１のスケジューリング位置情報を含み、前記第１のスケジューリング位置情報はダウンリンク送信を実行するためにスケジューリングされたサブフレームの位置を示す、ステップと、
アップリンクサブフレームのスケジューリングのために、
第２のサブフレームにおいてアップリンクスケジューリングシグナリング（ＵＬグラント）を送信するステップであって、前記アップリンクスケジューリングシグナリングは少なくとも１つの第２のスケジューリング位置情報を含み、前記第２のスケジューリング位置情報はアップリンク送信を実行するためにスケジューリングされたサブフレームの位置を示す、ステップと
を備える方法。
【請求項２】
前記少なくとも１つの第１のスケジューリング位置情報がデフォルト又は固有値である場合に、ダウンリンク送信を実行する前記サブフレームは第１のサブフレームであり、又はダウンリンク送信を実行する前記サブフレームは前記第１のサブフレーム後の少なくとも１つの第１の所定位置にあり、
前記少なくとも１つの第２のスケジューリング位置情報がデフォルト又は固有値である場合に、アップリンク送信を実行する前記サブフレームは第２のサブフレームであり、又はアップリンク送信を実行する前記サブフレームは前記第２のサブフレーム後の少なくとも１つの第２の所定位置にある、請求項１に記載の方法。
【請求項３】
前記少なくとも１つの第１の所定位置及び／又は前記少なくとも１つの第２の所定位置が予め合意された、請求項２に記載の方法。
【請求項４】
前記少なくとも１つの第１の所定位置及び／又は前記少なくとも１つの第２の所定位置が、前記基地局によって周期的に決定され、上位シグナリング又はＬ１シグナリングを通じてユーザに通知される、請求項２に記載の方法。
【請求項５】
上位が前記少なくとも１つの第１の所定位置及び／又は前記少なくとも１つの第２の所定位置に対して複数のスキームを事前に規定し、前記基地局が物理レイヤを通じてユーザに前記選択されたスキームの識別子を周期的に通知する、請求項２に記載の方法。
【請求項６】
前記ダウンリンクスケジューリングシグナリング及び／又は前記アップリンクスケジューリングシグナリングが、物理的ダウンリンク制御チャネル又は物理的ダウンリンクデータチャネルを通じてユーザに送信される、請求項１に記載の方法。
【請求項７】
前記ダウンリンクスケジューリングシグナリングが少なくとも１つのＨＡＲＱ識別子をさらに備え、各ＨＡＲＱ識別子はスケジューリングされたサブフレームに対応し、
前記アップリンクスケジューリングシグナリングが少なくとも１つのＨＡＲＱ識別子をさらに備え、各ＨＡＲＱ識別子はスケジューリングされたサブフレームに対応する、請求項１に記載の方法。
【請求項８】
前記送信データが再送信データである、請求項１から７のいずれかに記載の方法。
【請求項９】
ミリ波システムにおいてＨＡＲＱ−Ａ／Ｎを送信するためにサブフレームをスケジューリングする方法であって、
第３のスケジューリング位置情報を決定するステップであって、前記第３のスケジューリング位置情報はＨＡＲＱ−Ａ／Ｎを送信するためにスケジューリングされたサブフレームの位置を示し、前記ＨＡＲＱ−Ａ／Ｎは第３のサブフレーム上で前記データの送信が成功したかを示す、ステップ
を備える方法。
【請求項１０】
前記第３のスケジューリング位置情報がデフォルト又は固有値である場合に、ＨＡＲＱ−Ａ／Ｎを送信するための前記サブフレームが前記第３のサブフレームであり、又はＨＡＲＱ−Ａ／Ｎを送信するための前記サブフレームが前記第３のサブフレーム後の第３の所定位置にある、請求項９に記載の方法。
【請求項１１】
前記第３のスケジューリング位置情報が前記基地局によって決定される場合に、
前記第３の所定位置が、事前に決定され又は前記基地局によって周期的に決定され、上位シグナリング又はＬ１シグナリングを通じてユーザに通知され、又は
前記上位が前記第３の所定位置に対して複数のスキームを事前に規定し、前記基地局が前記物理レイヤを介して前記ユーザに前記選択されたスキームの識別子を周期的に通知する、請求項１０に記載の方法。
【請求項１２】
特定のセルにおいてそれぞれのユーザに対して決定された前記第３のスケジューリング位置情報が同じである、請求項１１に記載の方法。
【請求項１３】
前記特定のセルにおいてそれぞれのユーザに対して決定された前記第３のスケジューリング位置情報が異なる、請求項１１に記載の方法。
【請求項１４】
ＨＡＲＱ−Ａ／Ｎを送信するためにスケジューリングされた前記サブフレームの前記位置がＨＡＲＱプロセスの状態に従って即座に決定され、前記方法が、
各ＨＡＲＱにＨＡＲＱ識別子を指定するステップ、及び
前記ＨＡＲＱ−Ａ／Ｎを送信する場合に、それらをともに送信するように前記ＨＡＲＱ識別子を前記ＨＡＲＱ−Ａ／Ｎに埋め込むステップ
をさらに備える、請求項９に記載の方法。
【請求項１５】
前記第３のスケジューリング位置情報が前記ＨＡＲＱプロセスの受信機によって決定される場合に、前記方法が、
各ＨＡＲＱにＨＡＲＱ識別子を指定するステップ、
前記ユーザの識別子及び／又は対応するＨＡＲＱ識別子を前記ＨＡＲＱ−Ａ／Ｎに埋め込むステップ、及び
所定のサブフレームウインドウ範囲内で送信機に前記ＨＡＲＱ−Ａ／Ｎを送信するステップであって、前記ＨＡＲＱ−Ａ／Ｎを送信するようにスケジューリングされた前記サブフレームの前記位置は前記サブフレームウインドウ範囲内にあるステップ
をさらに備える、請求項９に記載の方法。
【発明の詳細な説明】
【技術分野】
【０００１】
本開示の実施形態は、無線通信の分野に関し、より具体的には、ミリ波システムにおいてデータを送信するためにサブフレームをスケジューリングする方法、及びＨＡＲＱ−Ａ／Ｎを送信するためにサブフレームをスケジューリングする方法に関する。
【背景技術】
【０００２】
５Ｇ物理レイヤは、高性能データレート並びに低減したコスト及び消費電力を提供することを目標とする。大規模ＭＩＭＯ、高周波数帯域、及び小型セルの密集性配備は、５Ｇの高容量の要件を満たす主要な技術であると期待される。その上、システムの拡張可能性、ＵＬ及びＤＬ容量を維持する柔軟性、並びに不対スペクトルの最適化利用は、５Ｇの概念に非常に重要である。さらに、これまでのＵＥ−ｅＮＢアクセスに加えて、インフラを備えていないｅＮＢ−ｅＮＢ通信及びデバイス間通信などによるセルフバックホーリングのような新たな種々の通信リンクが次々に出現している。
【０００３】
５Ｇのこれらの要件に基づいて、そのコスト効率と、さらには大きな不対周波数帯域を利用する可能性とを考慮すると、ＴＤＤモードは将来の５Ｇソリューションに対して多大な効果を有すると考えられる。ＴＤＤモデルの使用によってもまた、フィードバックオーバーヘッドを低下させるためにＵＬとＤＬの間のチャネル相互性の利用も可能とし、それは広範なチャネル状態情報を要する大規模ＭＩＭＯ技術に対して非常に有利である。
【０００４】
しかしながら、リリース８〜リリース１２の現在のＬＴＥ／ＬＴＥアドバンストシステムでは、ＦＤＤオペレーションは、双方のオペレーションをサポートするがＴＤＤモードと比べるとデュプレックスモードが支配的である。ＴＤＤモードはＦＤＤモードに対して非常に調和され、ＴＤＤ固有の最適化の度合いは最小化されてきた。特に、サブフレーム構造の設計は、ＴＤＤよりもＦＤＤに対して最適化される。ＴＤＤモードにおいて使用における従来のＦＤＤ最適化サブフレーム構造では、ＨＡＲＱプロセスの初期データのスケジューリング及び往復時間（ＲＴＴ）などのＵＥとｅＮＢの間の任意のハンドシェイク手順の継続時間は長くなり、ＵＬ／ＤＬの割合に大きく左右される。これでは、将来の５Ｇ技術に求めているＲＴＴ要件（１ｍｓ）を実現できない。
【発明の概要】
【０００５】
上記を考慮して、本開示の第１の態様は、ミリ波システムの基地局エンドにおいてデータを送信するためにサブフレームをスケジューリングする方法であって、ダウンリンクサブフレームをスケジューリングするために、第１のサブフレームにおいてダウンリンクスケジューリングシグナリング（ＤＬグラント）を送信するステップであって、ダウンリンクスケジューリングシグナリングが少なくとも１つの第１のスケジューリング位置情報を含み、第１のスケジューリング位置情報はダウンリンク送信を実行するためにスケジューリングされたサブフレームの位置を示す、ステップと、アップリンクサブフレームをスケジューリングするために、第２のサブフレームにおいてアップリンクスケジューリングシグナリング（ＵＬグラント）を送信するステップであって、アップリンクスケジューリングシグナリングが少なくとも１つの第２のスケジューリング位置情報を含み、第２のスケジューリング位置情報はアップリンク送信を実行するためにスケジューリングされたサブフレームの位置を示す、ステップとを備える方法を提供する。
【０００６】
一実施形態では、少なくとも１つの第１のスケジューリング位置情報がデフォルト又は固有値である場合には、ダウンリンク送信を実行するサブフレームは第１のサブフレームであり、又はダウンリンク送信を実行するサブフレームは第１のサブフレーム後の少なくとも１つの第１の所定位置にあり、少なくとも１つの第２のスケジューリング位置情報がデフォルト又は固有値である場合には、アップリンク送信を実行するサブフレームは第２のサブフレームであり、又はアップリンク送信を実行するサブフレームは第２のサブフレーム後の少なくとも１つの第２の所定位置にある。
【０００７】
一実施形態では、少なくとも１つの第１の所定位置及び／又は少なくとも１つの第２の所定位置は、予め合意されている。
【０００８】
一実施形態では、少なくとも１つの第１の所定位置及び／又は少なくとも１つの第２の所定位置は、基地局によって周期的に決定され、上位シグナリング又はＬ１シグナリングを通じてユーザに通知される。
【０００９】
一実施形態では、上位が少なくとも１つの第１の所定位置及び／又は少なくとも１つの第２の所定位置に対して複数のスキームを事前に規定し、基地局は物理レイヤを通じてユーザに選択されたスキームの識別子を周期的に通知する。
【００１０】
一実施形態では、ダウンリンクスケジューリングシグナリング及び／又はアップリンクスケジューリングシグナリングは、物理的ダウンリンク制御チャネル又は物理的ダウンリンクデータチャネルを通じてユーザに送信される。
【００１１】
一実施形態では、ダウンリンクスケジューリングシグナリングは少なくとも１つのＨＡＲＱ識別子をさらに備え、各ＨＡＲＱ識別子はスケジューリングされたサブフレームに対応し、アップリンクスケジューリングシグナリングは少なくとも１つのＨＡＲＱ識別子をさらに備え、各ＨＡＲＱ識別子はスケジューリングされたサブフレームに対応する。
【００１２】
一実施形態では、送信データは再送信データである。
【００１３】
本開示の第２の態様は、ミリ波システムにおいてＨＡＲＱ−Ａ／Ｎを送信するためにサブフレームをスケジューリングする方法であって、第３のスケジューリング位置情報を決定するステップであって、第３のスケジューリング位置情報がＨＡＲＱ−Ａ／Ｎを送信するためにスケジューリングされたサブフレームの位置を示すのに用いられ、ＨＡＲＱ−Ａ／Ｎは第３のサブフレーム上でデータの送信が成功したかを示すのに用いられるステップを備える方法を提供する。
【００１４】
一実施形態では、第３のスケジューリング位置情報がデフォルト又は固有値である場合には、ＨＡＲＱ−Ａ／Ｎを送信するためのサブフレームは第３のサブフレームであり、又はＨＡＲＱ−Ａ／Ｎを送信するためのサブフレームは第３のサブフレーム後の第３の所定位置にある。
【００１５】
一実施形態では、第３のスケジューリング位置情報が基地局によって決定される場合には、第３の所定位置は、事前に決定され若しくは基地局によって周期的に決定され、上位シグナリング若しくはＬ１シグナリングを通じてユーザに通知され、又は上位が第３の所定位置に対して複数のスキームを事前に規定し、基地局は物理レイヤを介してユーザに選択されたスキームの識別子を周期的に通知する。
【００１６】
一実施形態では、固有のセルにおいてそれぞれのユーザに対して決定された第３のスケジューリング位置情報は同じである。
【００１７】
一実施形態では、固有のセルにおいてそれぞれのユーザに対して決定された第３のスケジューリング位置情報は異なる。
【００１８】
一実施形態では、ＨＡＲＱ−Ａ／Ｎを送信するためにスケジューリングされたサブフレームの位置は、ＨＡＲＱプロセスの状態に従って即座に決定される。方法は、各ＨＡＲＱにＨＡＲＱ識別子を指定し、ＨＡＲＱ−Ａ／Ｎを送信する場合に、ともに送信するようにＨＡＲＱ識別子をＨＡＲＱ−Ａ／Ｎに埋め込むステップをさらに備える。
【００１９】
一実施形態では、第３のスケジューリング位置情報がＨＡＲＱプロセスの受信機によって決定される場合には、方法は、各ＨＡＲＱに対してＨＡＲＱ識別子を指定するステップ、ユーザの識別子及び／又は対応するＨＡＲＱ識別子をＨＡＲＱ−Ａ／Ｎに埋め込むステップ、所定のサブフレームウインドウ範囲内で送信機にＨＡＲＱ−Ａ／Ｎを送信するステップをさらに備え、ＨＡＲＱ−Ａ／Ｎを送信するようにスケジューリングされたサブフレームの位置はサブフレームウインドウ範囲内にある。
【００２０】
添付図面を参照する非限定的な実施形態の詳細な説明の通読によって、本開示の他の構成、目的及び効果がより明らかになる。
【図面の簡単な説明】
【００２１】
【図１】図１は、ミリ波システムにおけるフレーム構造を示す。
【図２】図２は、ミリ波システムにおける他のフレーム構造を示す。
【図３】図３は、本開示の一実施形態によるミリ波システムの基地局においてデータを送信するためにサブフレームをスケジューリングする方法のフロー図を示す。
【図４】図４は、本開示の一実施形態によるミリ波システムにおいてＨＡＲＱ−Ａ／Ｎを送信するためにサブフレームをスケジューリングする方法のフロー図を示す。
【図５】図５は、本開示の他の実施形態によるミリ波システムにおいてＨＡＲＱ−Ａ／Ｎを送信するためにサブフレームをスケジューリングする方法のフロー図を示す。
【発明を実施するための形態】
【００２２】
好適な実施形態の詳細な説明では、本開示の一部を構成する添付図面を参照する。例示的な添付図面は、本開示を実施可能な特定の実施形態を示す。例示的な実施形態は、本開示のすべての実施形態を網羅する意図はない。本開示の範囲を逸脱することなく、他の実施形態が用いられることがあり、又は構造的若しくは論理的変形がなされ得ると理解してもよい。したがって、以下の特定の説明は限定的なものではなく、本開示の範囲は添付の特許請求の範囲によって限定される。さらに、明細書では方法のステップを特定の配列で説明するが、これは、これらの動作が特定の配列で実行されなくてはならない、又は図示する動作のすべてが完全に実行された後にのみ所望の結果が実現可能となることを要件とせず又は意味していない。逆に、図示するステップの実行配列は変更されてもよい。さらに又は代替的に、あるステップが省略されてもよく、複数のステップが１つのステップと組み合わされて実行されてもよく、及び／又は１つのステップが複数のステップに分解されて実行されてもよい。
【００２３】
ＦＤＤと併せてＴＤＤモードの公知の効果に基づいて、２つのタイプの特定ＴＤＤサブフレーム構造の設計を提示してきた。２つのタイプのサブフレーム構造に（２つのタイプのサブフレーム構造に限定することなく）基づいて、アップリンク及びダウンリンク送信のためにサブフレームをスケジューリングし、ＨＡＲＱを送信するためにサブフレームをスケジューリングし、再送信のためにサブフレームをスケジューリングする方法を提示した。これらのソリューションは、５Ｇの需要の高まりに対処するために不可欠である。
【００２４】
まず、５Ｇに用いられる可能性があるフレーム構造を導入する。５Ｇでは、フレーム構造の設計は、遅延はより短いがより良い柔軟性を提供する傾向にある。
【００２５】
図１は、ミリ波システムにおけるフレーム構造を示す。フレームは、ダウンリンクサブフレーム及びアップリンクサブフレームを備える。アップリンク制御エリア及びダウンリンク制御エリアは、それぞれダウンリンクサブフレーム又はアップリンクサブフレームに埋め込まれる。したがって、ＨＡＲＱフィードバックは、同じサブフレームにおいて送信されてもよく、又はより短い往復送信時間周期を有する。
【００２６】
図２は、他のミリ波システムにおけるフレーム構造を示す。フレームは、ダウンリンク制御、ダウンリンクデータ、アップリンク制御及びアップリンクデータエリアのうちの１以上を備える。図２は、ＰＵＣＣＨが異なる位置に位置する２つのフレーム構造を示す。
【００２７】
その上、従来技術は他の構造のフレームを有する。しかしながら、これらのフレームには、データ送信、ＨＡＲＱ−Ａ／Ｎ送信及びデータ再送信を実行するようにこれらのサブフレームを呼び出すスキームがない。この目的に向けて、以下のスキームを提示する。
【００２８】
１．データ送信を実行するようにサブフレームをスケジューリングするスキーム
１）ダウンリンクデータ送信のためのサブフレームのスケジューリング
ミリ波システムでは、アップリンク及びダウンリンクサブフレームのスケジューリングが、やはり基地局によって制御される。ダウンリンクスケジューリングシグナリング（ＤＬグラント）がサブフレームｎにおいて送信されるものとすると、データは少なくとも１つのスケジューリングされたサブフレームｎ＋ｋｍ、ｍ＝１、・・・、Ｍにおいて送信されることになる。図３に示す方法のフロー図を参照すると、このスキームは以下を含む。
【００２９】
ステップＳ３０１における、第１のスケジューリング位置情報を決定するステップであって、第１のスケジューリング位置情報は、ダウンリンク送信を実行するためにスケジューリングされたサブフレームの位置、すなわち、サブフレームｎ＋ｋｍの位置を示すステップ。
【００３０】
ステップＳ３０２における、第１のサブフレーム（すなわち、サブフレームｎ）においてダウンリンクスケジューリングシグナリングを送信するステップであって、ダウンリンクスケジューリングシグナリングが少なくとも１つの第１のスケジューリング位置情報を備えるステップ。具体的には、ダウンリンクスケジューリングシグナリングは、物理的ダウンリンク制御チャネル又は物理的ダウンリンクデータチャネルを通じてユーザに送信され得る。
【００３１】
ａ．ダウンリンクスケジューリングシグナリングが１つの第１のスケジューリング位置情報のみ備える場合には、スケジューリングは単一のサブフレームスケジューリングであり、すなわち、１つのサブフレームのダウンリンクスケジューリングシグナリングにおいて、ダウンリンク送信を実行する１つのサブフレームのみスケジューリングされる。
【００３２】
単一のサブフレームスケジューリングでは、１つの第１のスケジューリング位置情報の値ｋｍを通じて位置を表わすことがある。例えば、値が３の場合には、ダウンリンク送信を実行するサブフレームの位置は、ダウンリンクスケジューリングシグナリングを送信するサブフレームｎの後の第３のサブフレームであると表わすことができる。
【００３３】
特定の一実施形態では、値がデフォルトであり又は値が固有値（例えば、０）である場合には、ダウンリンク送信を実行するためにスケジューリングされたサブフレームは、ダウンリンクスケジューリングシグナリングを送信するサブフレームｎであることを示す。
【００３４】
他の特定の実施形態では、値がデフォルトであり又は値が固有値である場合には、ダウンリンク送信を実行するサブフレームは、ダウンリンクスケジューリングシグナリングを送信するサブフレームｎの後の第１の所定位置、例えば、サブフレームｎの後の第２のサブフレームにあることを示す。所定位置は、事前に合意及び固定され又は基地局によって周期的に決定され、上位シグナリング又はＬ１シグナリングを通じてユーザに通知され得る。
【００３５】
一実施形態では、上位は第１の所定位置を構成する複数のスキーム（例えば、スキーム１：第１の所定位置がサブフレームｎの後の第２の位置であること、スキーム２：第１の所定位置がサブフレームｎの後の第３の位置であること）を事前に規定し、各スキームが対応する識別子を有し、どのスキームが用いられるかをユーザに通知する必要がある場合には、基地局は物理レイヤを通じて選択されたスキームをユーザに通知さえすればよい。
【００３６】
ｂ．ダウンリンクスケジューリングシグナリングが複数の第１のスケジューリング位置情報を備える場合には、スケジューリングは複数のサブフレームのスケジューリングであり、すなわち、１つのサブフレームのダウンリンクスケジューリングシグナリングにおいて、ダウンリンク送信を実行するために複数のサブフレームをスケジューリングする。
【００３７】
複数のサブフレームのスケジューリングでは、位置が複数の第１のスケジューリング位置情報の値ｋｍ、ｍ＝１、・・・Ｍによって表され得る。例えば、ｋ１が３でありｋ２が４の場合には、ダウンリンク送信のためのサブフレームの位置は、ダウンリンクスケジューリングシグナリングを送信するサブフレームｎの後の第３のサブフレーム及び第４のサブフレームであることを表わすことができる。
【００３８】
特定の一実施形態では、値がデフォルトであり又は値が固有値（例えば、０）である場合には、ダウンリンク送信を実行するためにスケジューリングされたサブフレームは、ダウンリンクスケジューリングシグナリングを送信するサブフレームｎであることを表わす。
【００３９】
他の特定の実施形態では、値がデフォルトであり又は値が固有値である場合には、ダウンリンク送信を実行するサブフレームは、ダウンリンクスケジューリングシグナリングを送信するサブフレームｎの後の複数の第１の所定位置にあることを表わす。例えば、所定位置が３、４、５でありｋｍの値がデフォルトの場合には、ダウンリンク送信を実行するためのサブフレームの位置は、ダウンリンクスケジューリングシグナリングを送信するサブフレームｎの後の第３、第４及び第５のサブフレームであることを表わす。所定位置は、事前に合意及び固定され又は基地局によって周期的に決定され、上位シグナリング又はＬ１シグナリングを通じてユーザに通知される。
【００４０】
一実施形態では、上位は複数の第１の所定位置を構成する複数のスキーム（例えば、スキーム１：複数の第１の所定位置がサブフレームｎの後の第２及び第３のサブフレームであること、スキーム２：複数の第１の所定位置がサブフレームｎの後の第３及び第４のサブフレームであること）を事前に規定し、各スキームが対応する識別子を有し、どのスキームが用いられるかをユーザに通知する必要がある場合には、基地局は物理レイヤを通じて選択されたスキームの識別子をユーザエンドに通知しさえすればよい。
【００４１】
複数のサブフレームスケジューリング中には、スケジューリングのためのサブフレームがデータ送信を実行するためのサブフレームに一対一で対応しないので、データの受信側がＨＡＲＱ（ハイブリッド自動再送要求）受信確認を送信する場合に、送信側はどのサブフレームに受信確認が対応するか確認できない。
【００４２】
この目的のために、このスキームでは、ＨＡＲＱ識別子はスケジューリングされた各サブフレームに指定され、ＨＡＲＱ受信確認を送信側に送信する必要がある場合には、識別子は、送信側がどのサブフレームにＨＡＲＱ−Ａ／Ｎが対応するか分かるように、ＨＡＲＱ−ＡＣＫ／ＮＡＣＫ（ＨＡＲＱ−ＡＣＫは送信の成功を示し、一方のＨＡＲＱ−ＮＡＣＫは送信の失敗を示し、これ以降ＨＡＲＱ−Ａ／Ｎという）に埋め込まれ得る。特に、どのユーザにＨＡＲＱ−Ａ／Ｎが対応するかの識別を容易にするために、ユーザエンドの識別子もまたＨＡＲＱ−Ａ／Ｎに埋め込まれることがある。
【００４３】
上記のように、ｋｍの値がデフォルトの場合には、所定位置は事前に合意及び固定され又は基地局によって周期的に決定される。所定位置がこの点で決定されるので、ＨＡＲＱ識別子はＨＡＲＱ−Ａ／Ｎに埋め込まれないことがあり、ＨＡＲＱ識別子もまたデフォルトでよい。
【００４４】
２）アップリンクデータ送信のためのサブフレームのスケジューリング
アップリンクデータ送信のためにサブフレームをスケジューリングするスキームは、ダウンリンクデータ送信のためにサブフレームをスケジューリングするスキームと同様である。ここでも図３を参照する。アップリンクスケジューリングシグナリング（ＵＬグラント）がサブフレームｎにおいて送信されるものとし、スケジューリングされたデータは少なくとも１つのサブフレームｎ＋ｋｍ、ｍ＝１、・・・、Ｍにおいて送信されることになる。このスキームは、以下を備える。
【００４５】
ステップＳ３０１：第２のスケジューリング位置情報を決定するステップ。第２のスケジューリング位置情報は、アップリンク送信を実行するためにスケジューリングされたサブフレームの位置、すなわち、サブフレームｎ＋ｋｍの位置を示す。
【００４６】
ステップＳ３０２：第２のサブフレーム（すなわち、サブフレームｎ）においてアップリンクスケジューリングシグナリングを送信するステップであって、アップリンクスケジューリングシグナリングは少なくとも１つの第２のスケジューリング位置情報を含むステップ。具体的には、アップリンクスケジューリングシグナリングは、物理的ダウンリンク制御チャネル又は物理的ダウンリンクデータチャネルを通じてユーザに送信され得る。
【００４７】
同様に、アップリンクデータ送信のためのサブフレームのスケジューリングはまた、単一のサブフレームスケジューリング及び複数のサブフレームスケジューリングも含み、ＨＡＲＱ識別子はまた、スケジューリングされた各アップリンクサブフレームに指定され得る。したがって、ダウンリンクデータ送信のためのサブフレームのスケジューリングの好適な実施形態はまた、アップリンクデータ送信のためのサブフレームのスケジューリングにも適用可能となり、ここでは詳述しない。
【００４８】
２．ＨＡＲＱ−Ａ／Ｎ送信を実行するためにサブフレームをスケジューリングするスキーム
１）基地局によるＨＡＲＱ−Ａ／Ｎを送信するためのサブフレームの決定
本発明は、ＨＡＲＱ−Ａ／Ｎ送信を実行するようにサブフレームをスケジューリングする２つのスキームを提供する。第１のスキームは、基地局によってＨＡＲＱ−Ａ／Ｎを送信するためのサブフレームを決定するものである。
【００４９】
データがサブフレームｎにおいて送信されるものとし、データがサブフレームｎ上で送信に成功したかを示すＨＡＲＱ−Ａ／Ｎは、後にスケジューリングされるサブフレームｎ＋ｋｌにおいて送信されることになる。図４の方法のフロー図を参照すると、このスキームは以下を備える。
【００５０】
ステップ４０１：基地局によって第３のスケジューリング位置情報を決定するステップであって、第３のスケジューリング位置情報が、ＨＡＲＱ−Ａ／Ｎを送信するためにスケジューリングされたサブフレームの位置を示し、例えば、サブフレームｎの後の第ｋｌのサブフレームｎ＋ｋｌがＨＡＲＱ−Ａ／Ｎを送信するためにスケジューリングされたサブフレームであることを示すためのものであるステップ。
【００５１】
ステップ４０２：ダウンリンクスケジューリングシグナリング又はアップリンクスケジューリングシグナリングを通じて、ユーザに第３のスケジューリング位置情報を送信するステップ。例えば、ダウンリンクデータ送信のＨＡＲＱ−Ａ／Ｎについて、第３のスケジューリング位置情報はダウンリンクスケジューリングシグナリングに埋め込まれ、アップリンクデータ送信のＨＡＲＱ−Ａ／Ｎについて、第３のスケジューリング位置情報はアップリンクスケジューリングシグナリングに埋め込まれる。
【００５２】
好適な一実施形態では、同じ第３のスケジューリング位置情報が、同じセル内のユーザに対して設定され得る。言い換えると、セル内のすべてのユーザにおけるデータ送信のためのサブフレームｎとＨＡＲＱ−Ａ／Ｎ送信のためのサブフレームｎ＋ｋｌとの間にある位置は、同じになるように設定される。ただし、他の好適な実施形態では、異なる第３のスケジューリング位置情報もまた同じセル内でユーザに対して設定され得る。言い換えると、セル内ですべてのユーザにおけるデータ送信のためのサブフレームｎとＨＡＲＱ−Ａ／Ｎ送信のためのサブフレームｎ＋ｋｌとの間にある位置は、異なる場合がある。
【００５３】
好適な一実施形態では、第３のスケジューリング位置情報の値がデフォルトであり又は値が固有値（例えば、０）である場合には、ＨＡＲＱ−Ａ／Ｎを送信するためにスケジューリングされたサブフレームは、データ送信を実行するサブフレームｎであることを示す。
【００５４】
他の好適な実施形態では、値がデフォルトであり又は値が固有値である場合には、ＨＡＲＱ−Ａ／Ｎ送信のためのサブフレームｎは、データ送信のためのサブフレームｎの後の第３の所定位置、例えば、サブフレームｎの後の第４のサブフレームにあることを示す。所定位置は、基地局によって事前に合意及び固定され又は周期的に決定され、上位シグナリング又はＬ１シグナリングを通じてユーザに通知され得る。
【００５５】
一実施形態では、上位が、第３の所定位置を構成するための複数のスキーム（例えば、スキーム１：第３の所定位置がサブフレームｎの後の第２のサブフレームであること、スキーム２：第３の所定位置がサブフレームｎの後の第３のサブフレームであること）を事前に規定し、各スキームが対応する識別子を有し、どのスキームを用いるかをユーザエンドに通知する必要がある場合には、基地局は物理レイヤを通じて選択されたスキームの識別子をユーザエンドに通知しさえすればよい。
【００５６】
他の好適な実施形態では、ＨＡＲＱ−Ａ／Ｎを送信するためにスケジューリングされたサブフレームの位置は、ＨＡＲＱプロセスの状態に基づいて即座に決定される。スキームはまた、ＨＡＲＱ識別子を各ＨＡＲＱに指定するステップを備え、ＨＡＲＱ−Ａ／Ｎを送信する場合に、ＨＡＲＱ識別子及び／又はユーザ識別子がともに送信されるようにＨＡＲＱ−Ａ／Ｎに埋め込まれる。このようにして、送信機はＨＡＲＱ−Ａ／Ｎがどのユーザのどのサブフレームに対応するのか分かる。
【００５７】
２）データの受信側によるＨＡＲＱ−Ａ／Ｎ送信のためのサブフレームの決定
本発明によって提供される第２のスキームは、データの受信側（すなわち、ＨＡＲＱプロセスの受信側）によって、ＨＡＲＱ−Ａ／Ｎを送信するためのサブフレームを決定するものである。例えば、データが基地局からユーザに送信される場合には、ユーザは、ＨＡＲＱ−Ａ／Ｎを送信するのにどのサブフレームがスケジューリングされるかを決定することになる。ＨＡＲＱ−Ａ／Ｎはデータの受信側によって送信されるので、このスキームは、サブフレームリソースを合理的にスケジューリングするのにＨＡＲＱ−Ａ／Ｎを送信する当事者にとってはより効果的である。
【００５８】
同様に、データがサブフレームｎにおいて送信されるものとし、データの送信がサブフレームｎ上で成功したかを示すＨＡＲＱ−Ａ／Ｎは、スケジューリングされたサブフレームｎ＋ｋｌにおいて送信され得る。図５に示す方法のフロー図を参照すると、このスキームは以下を備える。
【００５９】
ステップＳ５０１において、受信側はＨＡＲＱプロセスのその瞬間の状態に従って第３のスケジューリング位置情報を決定し、第３のスケジューリング位置情報は、ＨＡＲＱ−Ａ／Ｎを送信するためにスケジューリングされたサブフレームの位置を示すためのもの、例えば、サブフレームｎの後の第ｋｌのサブフレームｎ＋ｋｌがＨＡＲＱ−Ａ／Ｎを送信するためにスケジューリングされたサブフレームであることを示すためのものである。
【００６０】
ステップＳ５０２において、各ＨＡＲＱに対してＨＡＲＱの識別を指定し、送信の必要があるＨＡＲＱ−Ａ／Ｎにユーザの識別子及びＨＡＲＱ−Ａ／Ｎに対応するＨＡＲＱ識別子を埋め込むステップ。具体的には、ユーザ識別子の追加によって、複数の受信側は、ＨＡＲＱ−Ａ／Ｎがどのユーザのデータに方向付けられるか識別不能であるという結果と同時にＨＡＲＱ−Ａ／Ｎを送信することを防ぐ。
【００６１】
ステップＳ５０３において、受信側によってＨＡＲＱ−Ａ／Ｎを所定のサブフレームウインドウ範囲内で送信側に送信ステップであり、ＨＡＲＱ−Ａ／Ｎを送信するためにスケジューリングされたサブフレームの位置は、サブフレームウインドウ範囲内にある。
【００６２】
３．再送信を実行するようにサブフレームをスケジューリングするスキーム
再送信されるデータのスケジューリングについて、その実施形式は、データ送信を実行するようにサブフレームをスケジューリングするスキームと同じである。相違は、データ送信を実行するようにサブフレームをスケジューリングするスキームでは、送信されるものは最初に送信されるデータであり、一方の本スキームでは、送信されるものは再送信されるデータであるという点である。したがって、本発明におけるデータ再送信のためのスキームは、データ送信のためにサブフレームをスケジューリングするスキームを参考にして実施され得る。それをここでは詳述しない。
【００６３】
当業者には、本発明が上記の例示的な実施形態の詳細事項に限定されず、本発明が本発明の趣旨又は基本構成から逸脱することなく他の実施形態で実施され得ることは明らかである。したがって、いずれの形態でも、実施形態は例示的なものであり限定的ではないとみなされるべきであり、本発明の範囲は、上記の説明ではなく添付の特許請求項によって限定される。したがって、特許請求の範囲の意味及び均等要素の範囲にあることを意図するすべての変形例は、本発明内に網羅されるべきである。請求項の符号は、関与する請求項を限定するものとみなされるべきでない。さらに、用語「備える」は、他のユニット又はステップを除外せず、単数形は複数を除外しないことは明らかである。システムの請求項において記述された複数のユニット又はモジュールもまた、ソフトウェア又はハードウェアを通じて単一のユニット又はモジュールによって実施され得る。第１及び第２などの用語は、名称を示すのに用いられ特定の配列を示していない。
【図１】
2019500816.tif 000003
【図２】
2019500816.tif 000004
【図３】
2019500816.tif 000005
【図４】
2019500816.tif 000006
【図５】
2019500816.tif 000007
【国際調査報告】
2019500816.tif 000008
2019500816.tif 000009
2019500816.tif 000010
2019500816.tif 000011
2019500816.tif 000012
2019500816.tif 000013